【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
懸濁液から磁性粒子（６６）を分離するための磁気分離装置（１０；１１０）であって、
−一時的に懸濁液に浸漬するために構成された浸漬部（３０；１３０）と、
−案内路（Ｆ）に沿って延在する案内装置（１６；１１６）と、
−磁石アセンブリ（１８；１１８）であって、前記案内装置（１６；１１６）によって、前記浸漬部（３０；１３０）のより近くに位置する動作位置と、前記案内路（Ｆ）に沿って前記浸漬部（３０；１３０）からさらに離れて位置する停止位置との間で変位可能であるように案内されているので、前記磁石アセンブリ（１８；１１８）を前記動作位置と前記停止位置との間で変位させることによって、磁場が前記浸漬部（３０；１３０）の領域内で変更可能である磁石アセンブリ（１８；１１８）と、
−前記磁石アセンブリ（１８；１１８）を、前記動作位置と前記停止位置との間で、少なくとも１つの方向に移動するように駆動することができる駆動装置（２２、５０）であって、前記磁気分離装置（１０；１１０）がカップリングアセンブリ（１２；１１２）を有しており、前記カップリングアセンブリが、案内側連結位置（１４；１１４）である第１の連結位置において、前記案内装置（１６；１１６）と連結されている駆動装置（２２、５０）と、を有する磁気分離装置（１０；１１０）において、
前記駆動装置（２２、５０）が、非物理的に、力場及び／又は流体を通じて駆動力を伝達するように、前記磁石アセンブリ（１８；１１８）に連結されており、
前記カップリングアセンブリ（１２；１１２）が前記第１の連結位置とは異なる、装置側連結位置（１５；１１５）である第２の連結位置において、ピペット装置（２２；１２２）のピペット管（２０；１２０）に解除可能に連結するように構成されている、ことを特徴とする磁気分離装置（１０；１１０）。
【請求項２】
少なくとも前記動作位置において、前記案内路（Ｆ）に直交して径方向外側に向かって、かつ、前記停止位置に背向する側において前記案内路（Ｆ）に沿って、前記磁石アセンブリ（１８；１１８）を包囲するカバー（２８；１２８）を有していることを特徴とする、請求項１に記載の磁気分離装置（１０；１１０）。
【請求項３】
前記磁石アセンブリ（１８；１１８）の前記動作位置のより近くに位置する、前記カバー（２８；１２８）の長手方向端部が、浸漬長手方向端部として、前記分離装置（１０；１１０）の前記浸漬部（３０；１３０）を形成していることを特徴とする、請求項２に記載の磁気分離装置（１０；１１０）。
【請求項４】
前記停止位置のより近くに位置する前記カバー（２８；１２８）の長手方向端部が、前記案内装置（１６；１１６）及び／又は前記カップリングアセンブリ（１２；１１２）に解除可能に固定されていることを特徴とする、請求項２または３に記載の磁気分離装置（１０；１１０）。
【請求項５】
前記案内装置（１６；１１６）が、案内管（１６；１１６）を有しており、前記案内管は、前記磁石アセンブリ（１８；１１８）を、前記動作位置と前記停止位置との間で変位するように案内することを特徴とする、請求項１から４のいずれか一項に記載の磁気分離装置（１０；１１０）。
【請求項６】
前記案内管（１６；１１６）が、前記磁石アセンブリ（１８；１１８）を、前記案内路（Ｆ）と重なる管軸（Ｒ）に関して径方向外側において包囲することを特徴とする、請求項５に記載の磁気分離装置（１０；１１０）。
【請求項７】
前記磁石アセンブリ（１８；１１８）が、シールアセンブリ（３４；３４’；１３４）を有しており、前記シールアセンブリは、前記案内管（１６；１１６）の内壁に対して密閉し、前記案内管（１６；１１６）によって包囲される体積（３６、３８；１３６、１３８）を、前記停止位置により近い作動体積（３８；１３８）と、前記動作位置により近い排出体積（３６；１３６）とに分割することを特徴とする、請求項６に記載の磁気分離装置（１０；１１０）。
【請求項８】
共に移動するために、前記磁石アセンブリ（１８；１１８）に接続されたピストン（３２；３２’；１３２’）を有しており、前記ピストンは前記シールアセンブリ（３４；３４’；１３４）を支持していることを特徴とする、請求項７に記載の磁気分離装置（１０；１１０）。
【請求項９】
前記ピストン（１３２’）と前記磁石アセンブリ（１１８）との間に、前記ピストン（１３２’）と前記磁石アセンブリ（１１８）とを共に移動させるために接続しているピストンロッド（１７０）が配置されていることを特徴とする、請求項８に記載の磁気分離装置（１１０）。
【請求項１０】
前記案内装置（１１６）が、前記ピストン（１３２’）と、前記ピストンロッド（１７０）とを、直接的に、前記案内路（Ｆ）に沿って移動するように案内することを特徴とする、請求項９に記載の磁気分離装置（１１０）。
【請求項１１】
前記案内装置（１１６）が、案内管（１１６）を有しており、前記磁石アセンブリ（１１８）は、いずれかの操作位置において、前記案内管（１１６）の管軸に関して、前記案内管の軸方向外側に位置していることを特徴とする、請求項８又は９に記載の磁気分離装置（１１０）。
【請求項１２】
前記カバー（２８；１２８）が、前記案内管（１６；１１６）を径方向外側において包囲しており、前記案内管（１６；１１６）と前記カバー（２８；１２８）との間、及び、場合によっては前記カップリングアセンブリ（１２；１１２）と前記カバー（２８；１２８）との間には、径方向において、ガス導管（５８；１５８）が形成されており、前記ガス導管は、前記案内管（１６；１１６）の前記排出体積（３６；１３６）に合流していることを特徴とする、請求項４を引用する、請求項６から１１のいずれか一項に記載の磁気分離装置（１０；１１０）。
【請求項１３】
前記案内管（１６；１１６）が、前記動作位置のより近くに位置する前記案内管の端部領域において、前記案内管（１６；１１６）を径方向において貫通する開口部（６２；１６２）を有することを特徴とする、請求項１２に記載の磁気分離装置（１０；１１０）。
【請求項１４】
前記カップリングアセンブリ（１２；１１２）が、接続管（２６；１２６）を有しており、前記接続管は、前記装置側連結位置（１５；１１５）を、前記案内管（１６；１１６）によって包囲される体積（３６、３８；１３６、１３８）と、流体及び圧力を伝達するように接続していることを特徴とする、請求項１から１３のいずれか一項に記載の磁気分離装置（１０；１１０）。
【請求項１５】
前記停止位置の領域において、保持装置（１７２）が設けられており、前記保持装置は、前記磁石アセンブリ（１８；１１８）を、前記停止位置に保持することを特徴とする、請求項１から１４のいずれか一項に記載の磁気分離装置（１０；１１０）。
【請求項１６】
制御磁石アセンブリ（５０）を有しており、前記制御磁石アセンブリの磁場は、前記案内路（Ｆ）の領域において変更可能であることを特徴とする、請求項１から１５のいずれか一項に記載の磁気分離装置（１０）。
【請求項１７】
前記制御磁石アセンブリ（５０）が、切り替え可能な電磁石（５０）を含んでいることを特徴とする、請求項１６に記載の磁気分離装置（１０）。
【請求項１８】
本体（１２；１１２）を有しており、前記本体は、前記案内装置（１６；１１６）に連結されており、前記本体（１２；１１２）は、カップリングアセンブリ（１２；１１２）であることを特徴とする、請求項１６又は１７に記載の磁気分離装置（１０）。
【請求項１９】
前記制御磁石アセンブリが、前記本体に設けられていることを特徴とする、請求項１８に記載の磁気分離装置（１０）。
【請求項２０】
懸濁液を受容するように構成された容器（４０；１４０）及び／又は前記容器（４０；１４０）を受容するように構成された容器支持部（４２）を有しており、前記制御磁石アセンブリ（５０）は、前記容器（４０；１４０）及び／又は前記容器支持部（４２）に設けられていることを特徴とする、請求項１６から１９のいずれか一項に記載の磁気分離装置（１０；１１０）。
【請求項２１】
前記容器支持部（４２）を有しており、前記容器支持部は、容器の一部を受容するための受容リセス（４６）を有しており、前記制御磁石アセンブリ（５０）は、前記受容リセス（４６）を囲むように、及び／又は、前記容器支持部（４２）に受容された前記容器（４０）が決められた通りに前記容器支持部（４２）上に載置されている載置面の下側において、前記容器支持部（４２）上に設けられていることを特徴とする、請求項２０に記載の磁気分離装置（１０）。
【請求項２２】
前記駆動装置（２２、５０）が、ピペット装置（２２）を含んでいることを特徴とする、請求項１から２１のいずれか一項に記載の磁気分離装置（１０）。